(57)【特許請求の範囲】
【請求項１】
基材表面の定着層にフィルム状の浸透層を重ねて成る被記録媒体を送る搬送機構と、この搬送機構で送られる被記録媒体の浸透層に対して昇華性インクを付与して画像情報をプリントするプリント機構と、被記録媒体を加熱することで浸透層にプリントされた画像情報を定着層に転写する加熱機構とを備えると共に、
加熱後の前記被記録媒体から、前記浸透層をフィルム状のまま剥離させて取り除く剥離機構を備え、
前記剥離機構が、基材側と浸透層との側から被記録媒体を挟み込む圧着型のローラと、夫々のローラの周速度に速度差を設定して夫々のローラを駆動する駆動手段とを備えて成り、夫々のローラの周速度の差により基材から浸透層の剥離を行うよう構成されている画像形成装置。
【請求項２】
前記剥離機構が、剥離後の前記浸透層を前記基材が搬送される方向に対して角度を持って離間する方向に送る剥離搬送部を備えて構成されている請求項１記載の画像形成装置。
【請求項３】
前記剥離機構が、浸透層に粘着する粘着面を有するローラと、このローラで基材から剥離した浸透層を粘着面から分離して粘着面から離間する方向に案内する爪体を備えている請求項１又は２記載の画像形成装置。
【請求項４】
前記剥離機構が、基材から剥離した浸透層を巻き取る巻き取り機構を備えて構成されている請求項１〜３のいずれか１項に記載の画像形成装置。
【請求項５】
前記圧着型のローラが前記基材の側に配置された主ローラと前記浸透層の側に配置された剥離ローラとからなり、前記剥離ローラの周速度を前記主ローラの周速度より低速に設定する剥離駆動状態と、前記剥離ローラの周速度を前記主ローラの周速度と等しく設定する搬送駆動状態との間で切り換え自在に構成されている請求項４に記載の画像形成装置。
【請求項６】
前記剥離機構で浸透層を剥離した後の基材を切断する切断機構を、被記録媒体の搬送方向で該剥離機構より下手位置に配置してある請求項１〜５のいずれか１項に記載の画像形成装置。
【発明の詳細な説明】
【０００１】
【発明の属する技術分野】
本発明は、画像形成装置に関し、詳しくは、基材表面の定着層の上面に浸透層を備えた被記録媒体を用い、この被記録媒体の浸透層に画像情報のプリントを行った後に加熱を行って、この画像情報を基材表面の定着層に定着させる形態で転写を行い、転写の後に浸透層を取り除く技術に関する。
【０００２】
【従来の技術】
従来、上記のように構成された被記録媒体として特開平１０‐２９７１９７号公報に示されるものが存在する。
【０００３】
この従来の技術では、金属基材（本発明の基材）上に防錆層を兼ねる着色下地層（本発明の定着層）を形成し、この上に光透過性樹脂層としてアクリル系樹脂やポリエステル系樹脂やウレタン系樹脂で成る透明樹脂層を形成し、この上に多孔質アルミナ等を用いたインクジェット受理層（本発明の浸透層）を形成して金属装飾体（本発明の被記録媒体）を構成して成り、この金属装飾体のインクジェット受理層に対して昇華形着色材を用いたインクジェット印刷により着色模様を形成する。この後、この金属装飾体を加熱炉や、ホットプレスで加熱することによりインクジェット受理層の昇華形着色材が昇華して透明樹脂層に入り込み、インクジェット受理層に形成された着色模様が透明受理層に形成される。次に、インクジェット受理層を温水で軟化させた後、布等で拭き取ることによってインクジェット受理層の全てを取り除くことで、着色模様が形成された金属装飾体が完成するものとなっている。
【０００４】
【発明が解決しようとする課題】
しかしながら、従来の技術のように、昇華形着色材を用いてインクジェット受理層に対して着色模様を形成した後に、加熱を行うことでインク受理層の昇華形着色材を昇華させて透明樹脂層に転写を行い、この後に、インクジェット受理層を温水で軟化させた後、布等で拭き取る形態で取り除くものでは、取り除くために温水で軟化させる処理を必要とするばかりで無く、拭き取る処理を必要とするため手間が掛かるものであった。特に、拭き取りによって取り除く場合には、取り除き不良を無くすために拭き取りを行う面の全面を丹念に拭き取る必要があり、大きいサイズの被記録媒体を用いた場合には、人為作業に頼らざるを得ない場合も多かった。
【０００５】
又、基材の定着層の上面に浸透層を形成した構造の被記録媒体について考えるに、この構造の被記録媒体Ｍは、基材の定着層に対して浸透層を密着して接合した後に、必要とするサイズ（長尺の場合には所定サイズの幅）に裁断する形態で製造されているので、裁断方向から見た場合に基材の端部と浸透層の端部との境界部分が判別し難く、基材から浸透層を剥離する場合には剥離を開始する位置の判別が困難となり、浸透層を自動的に剥離する技術が望まれている。
【０００６】
本発明の目的は、基材の定着層の上面に浸透層を形成した構造の被記録媒体に対して画像の転写を行うと共に、この転写後に浸透層を自動的に取り除き得る装置を合理的に構成する点にある。
【０００７】
【課題を解決するための手段】
本発明の請求項１に係る画像形成装置の特徴、作用・効果は次の通りである。
〔特徴〕
基材表面の定着層にフィルム状の浸透層を重ねて成る被記録媒体を送る搬送機構と、この搬送機構で送られる被記録媒体の浸透層に対して昇華性インクを付与して画像情報をプリントするプリント機構と、被記録媒体を加熱することで浸透層にプリントされた画像情報を定着層に転写する加熱機構とを備えると共に、加熱後の前記被記録媒体から、前記浸透層をフィルム状のまま剥離させて取り除く剥離機構を備え、前記剥離機構が、基材側と浸透層との側から被記録媒体を挟み込む圧着型のローラと、夫々のローラの周速度に速度差を設定して夫々のローラを駆動する駆動手段とを備えて成り、夫々のローラの周速度の差により基材から浸透層の剥離を行うよう構成されている点にある。
【０００８】
〔作用・効果〕
上記特徴によると、搬送機構で送られる被記録媒体の浸透層に対してプリント機構で昇華性インクを付与することで画像情報のプリントを行い、このプリントの後に、この被記録媒体を加熱機構に送って加熱することにより、浸透層に付与された昇華性インクが定着層に定着する。又、加熱後の被記録媒体から剥離機構が浸透層をフィルム状のまま剥離させて取り除くものとなる。その結果、大きいサイズの被記録媒体であっても、人為的な剥離作業を行わずに浸透層を取り除ける。
さらに、圧着型のローラに速度差を設定することで基材と浸透層との間に、搬送方向に沿う位置のズレを発生させて強制的に隙間を形成し、被記録媒体に対して剥離を容易にする特別の構造を備えずとも、人手に頼らずとも基材から浸透層を剥離できる。その結果、比較的簡単な構造で浸透層を浮き上がらせて自動的、かつ、確実に剥離できるものとなった。
【０００９】
本発明の請求項２に係る画像形成装置の特徴、作用・効果は次の通りである。
〔特徴〕
請求項１記載の画像形成装置において、前記剥離機構が、剥離後の前記浸透層を前記基材が搬送される方向に対して角度を持って離間する方向に送る剥離搬送部を備えて構成されている点にある。
【００１０】
〔作用・効果〕
上記特徴によると、剥離後の浸透層を、剥離搬送部によって基材が搬送される方向に対して角度を持って離間する方向に送ることになるので、剥離後の浸透層を基材から分離させ、剥離した後の浸透層を被記録媒体に接触して搬送される不都合を解消する。その結果、剥離した浸透層を基材の側から確実に取り除き得るものとなった。
【００１１】
本発明の請求項３に係る画像形成装置の特徴、作用・効果は次の通りである。
〔特徴〕
請求項１又は２記載の画像形成装置において、前記剥離機構が、浸透層に粘着する粘着面を有するローラと、このローラで基材から剥離した浸透層を粘着面から分離して粘着面から離間する方向に案内する爪体を備えている点にある。
【００１２】
〔作用・効果〕
上記特徴によると、浸透層に対してローラの粘着面が接触することで、その粘着力で基材から浸透層を剥離させると共に、このように粘着面に粘着する状態で剥離した浸透層を爪体がローラから分離させるので、被記録媒体そのものに対して剥離を補助するための特別の加工を施さずとも、人手に頼らずとも基材から浸透層を剥離できる。その結果、連続的に送られる被記録媒体から浸透層を自動的、かつ、確実に除去できるものとなった。
【００１３】
本発明の請求項４に係る画像形成装置の特徴、作用・効果は次の通りである。
〔特徴〕
請求項１〜３のいずれか１項に記載の画像形成装置において、前記剥離機構が、基材から剥離した浸透層を巻き取る巻き取り機構を備えて構成されている点にある。
【００１４】
〔作用・効果〕
上記特徴によると、基材から剥離した浸透膜を巻き取り機構で巻き取ることにより、この浸透膜をそのまま排出するものと比較して排出する空間を形成することや、排出した浸透膜を収納する空間を形成しなくて済み、剥離した浸透膜を小さな空間に収め得る。その結果、装置の大型化を抑制しながら浸透膜を自動的に剥離し得る装置が合理的に構成された。
【００１５】
本発明の請求項５に係る画像形成装置の特徴、作用・効果は次の通りである。
〔特徴〕
請求項４に記載の画像形成装置において、前記圧着型のローラが前記基材の側に配置された主ローラと前記浸透層の側に配置された剥離ローラとからなり、前記剥離ローラの周速度を前記主ローラの周速度より低速に設定する剥離駆動状態と、前記剥離ローラの周速度を前記主ローラの周速度と等しく設定する搬送駆動状態との間で切り換え自在に構成されている点にある。
【００１６】
〔作用・効果〕
上記特徴によると、剥離を行った後では、剥離ローラを搬送駆動状態で駆動することで、被記録媒体の基材から浸透層を剥離する状態を継続させることができる。
【００１７】
本発明の請求項６に係る画像形成装置の特徴、作用・効果は次の通りである。
〔特徴〕
請求項１〜５のいずれか１項に記載の画像形成装置において、前記剥離機構で浸透層を剥離した後の基材を切断する切断機構を、被記録媒体の搬送方向で該剥離機構より下手位置に配置してある点にある。
【００１８】
〔作用・効果〕
上記特徴によると、浸透膜を剥離した後の基材を切断機構で切断することにより、必要とするサイズの被記録媒体を得ると共に、浸透層の剥離を行う前に切断を行うものと比較した場合に、フィルム状の浸透層に張力を作用させ続けるだけで連続的な剥離を継続させる状態を維持でき、切断した後に浸透層の剥離を行うもののように、切断された被記録媒体毎に剥離のための処理を行わずに済む。その結果、剥離性能を損なうこと無く被記録媒体を必要とするサイズに切断できるものとなった。
【００１９】
【発明の実施の形態】
以下、本発明の実施の形態を図面に基づいて説明する。
図１に示すように、画像処理装置Ｐから転送される画像情報（文字情報を含む）を被記録媒体Ｍに転写した後、必要とするサイズに切断して送り出す画像形成装置Ｑを備えて画像転写システムが構成されている。
【００２０】
前記画像処理装置Ｐは汎用のコンピュータ１、モニター２、キーボード３、マウス４を有すると共に、現像済みの銀塩式のフィルム５の画像情報を光電変換するフィルムスキャナー６と、メディアにデジタル信号として保存された情報を取り出すようにコンピュータ内部にメディアドライブ７とを備えて成り、この画像処理システムＧから画像情報を前記制御機構Ｃに転送することにより、転送した画像情報を画像形成装置において被記録媒体Ｍに対して転写により形成し得るよう構成されている。尚、メディアドライブ７とは、ＣＤやＣＤ−Ｒ、あるいは、ＭＯ等のディスク状の媒体ばかりでなく、コンパクトフラッシュやスマートメディア等の半導体で成る媒体から情報を取り出すドライブの総称であり、同図にはＣＤ及びＣＤ−Ｒの情報を読出すメディアドライブを示している。
【００２１】
前記被記録媒体Ｍは図６に示すように、ＰＥＴ（polyethylene terephthalate）製でフィルム状の基材１１の表面に対して、昇華性インクに対して親和性のある樹脂としてポリビニルアルコール系の樹脂やポリビニルアセタール系の樹脂等で定着層１２を形成し、この定着層１２の表面に昇華性インクに対して非親和性となるフッ素樹脂やシリコン樹脂等の薄いフィルム状の浸透層１３を剥離自在に重ね合わせ、全体として柔軟なシート状に構成したものであり、この被記録媒体Ｍは浸透層１３に対して昇華性インクで画像をプリントした後、加熱処理を行うことにより、浸透層１３のインクが昇華することによって定着層１２に移行して基材１１の表面に画像情報を定着形成する機能を有するものであり、画像情報を転写定着した後には、浸透層１３をフィルム状のまま剥離して取り除くことにより基材１１の表面の定着層１２に形成された明瞭な画像を露出させるものとなっている。又、この被記録媒体Ｍは、基材１１の素材が昇華性インクに対して親和性を有する性質のものでは、その基材１１の表面をそのまま定着層１２として利用できる。
【００２２】
図１及び図２に示すように、画像形成装置Ｑは、ロール状の被記録媒体Ｍを送る搬送機構Ａと、この搬送機構Ａで送られる被記録媒体Ｍに画像情報をプリントするインクジェット型のプリント機構Ｂと、これらを制御する制御機構Ｃとを本体ケース２０の内部に備えると共に、本体ケース２０に連設した加熱ケース２１の内部にプリント機構Ｂから送られる被記録媒体Ｍを加熱する加熱機構Ｄと、加熱後の被記録媒体Ｍから浸透層を剥離する剥離機構Ｅと、ループ形成部Ｆと、浸透層が剥離された後の被記録媒体Ｍを切断する切断機構Ｇとを備えて構成されている。
【００２３】
前記画像形成装置の本体ケース２０はロール状の被記録媒体Ｍが収納された部位からプリント機構Ｂを覆う蓋状材２０Ａを揺動支軸２２周りで揺動開閉できるよう備え、底部に備えたフレーム２３に対して支柱部２４を介して接地脚部２５を備えることにより本体ケース部２０を比較的高い位置に配置してある。又、前記ロール状の被記録媒体Ｍは、支持軸２６によって本体ケース２０の内部において回転自在に支持されている。
【００２４】
前記搬送機構Ａは、プリント機構Ｂから加熱機構Ｄに亘って被記録媒体Ｍを搬送するよう複数の圧着型の第１搬送ローラ２８と、これらを回転駆動するステッピングモータ型の第１搬送モータＭ１（図９を参照）とを備えて成っている。
【００２５】
前記プリント機構Ｂは、図３及び図４に示すように、被記録媒体Ｍの搬送方向と直交する姿勢に配置したガイドロッド３０と、このガイドロッド３０に沿って往復移動自在に支持されたプリントヘッド３１と、このプリントヘッド３１を、プーリ３２に巻回したタイミングベルト３３を介して往復駆動するステッピングモータ型の走査モータ３４とを備えて成り、このプリントヘッド３１でプリントを行う部位には被記録媒体Ｍの背面に位置を設定してプレート３５を備えている。又、このプリントヘッド３１は、取り換え自在に構成されたインクカートリッジ３６のインクをノズルから被記録媒体Ｍに対して吹き付けるようピエゾ素子等の吐出機構（図示せず）を備えている。尚、インクカートリッジのインクとして、シアン（Ｃ）、マゼンタ（Ｍ）、イエロー（Ｙ）、ブラック（Ｋ）の少なくとも４色のインクの他に中間色の２色のインクを用いた６色を使用するよう構成され、この実施の形態で使用される昇華性インクは、８０℃程度で昇華が始まり、前述したようにフィルム状のＰＥＴ製の基材１１を有する被記録媒体Ｍにおいては、１８０℃で２分程度の加熱により最適な転写状態となる。尚、この昇華性インクは１７０℃〜２００℃程度でインクの昇華を無理なく行えるものであり、２００℃では１分程度の加熱、１７０℃では５分程度の加熱で必要とする転写が可能となる。
【００２６】
プリントヘッド３１に対し被記録媒体Ｍの側に突出する切断位置と、この被記録媒体から離間する待機位置とに切換自在に刃体３７を備えると共に、この刃体３７を切断位置と待機位置とに切換えるよう、ネジ送り式やカム送り式の切換モータ３８を備えて、このプリント位置で被記録媒体Ｍの切断を行えるようにも構成されている。前記プレート３５には、刃体３７の移動を許す溝を全幅に形成してあり、被記録媒体Ｍを切断する場合には、切換モータ３８の駆動力で刃体３７の先端を切断位置まで突出させ、プリントヘッド３１を走査方向に作動させることにより、被記録媒体Ｍを幅方向の全幅に亘って切断し、切り離しを行えるように構成されている。
【００２７】
加熱機構Ｄは、図２に示すように、断熱材製の壁体４０で形成された加熱空間Ｒの内部に、この加熱空間内の空気温度の上昇を図る電気ヒータ４１と加熱空気を送るファン４２と、ファン４２を駆動するファンモータ４３と、電気ヒータ４１からの熱が被記録媒体に直接照射される現象を阻止する遮蔽板４４と、空気温度を計測する温度センサＳとを備えて構成されている。この加熱空間Ｒの内部において被記録媒体Ｍを１８０℃に加熱された空気に接触させることで、被記録媒体Ｍに対して加熱系の部材を接触させない状態での加熱を行い、この加熱による転写を実現している。尚、この加熱機構Ｄを、加熱空気によって被記録媒体Ｍを加熱するよう構成したが、本発明では、加熱空間Ｒの内部に赤外線ヒータ（遠赤外線ヒータを含む）を配置して、赤外線の輻射によって被記録媒体Ｍの加熱を行うよう加熱機構Ｄを構成することも可能である。
【００２８】
前記剥離機構Ｅは、図７及び図８に示すように、被記録媒体Ｍの基材１１の側を送る吸着型のベルト搬送部ＥＶと、被記録媒体Ｍの浸透層１３に接触して、浸透層１３をフィルム状のまま剥離するよう粘着面５０Ａを有した剥離ローラ５０を備えると共に、この剥離ローラ５０で剥離した浸透層１３を剥離ローラ５０から分離して送り出すことにより、剥離後の浸透層１３を基材１１が搬送される方向に対して角度を持って離間する方向に送る剥離搬送部を備えて構成されている。この剥離搬送部は、基材１１から分離した浸透層１３を案内する爪体５１と、この爪体５１からの浸透層１３を送る複数の圧着ローラ５２と、これらの圧着ローラ５２からのフィルム状の浸透層１３を案内する複数のガイド５３と、このガイド５３から送られる浸透層１３を巻き取る巻き取り機構としてのリール５４とを備えて構成されている。又、このリール５４には浸透層１３をリール５４の軸部分に圧着させるようバネで軸部分の側に揺動端が付勢されたアーム５５Ａ夫々に支承された遊転ローラ５５を複数組備えている。
【００２９】
前記ベルト搬送部ＥＶは、一対のプーリ５６と、このプーリ５６に巻回された通気性の無端ベルト５７と、無端ベルト５７における搬送面の側に配置した搬送面の側に開放する吸引ケース５８と、この吸引ケース内の空気を吸引排出するよう電動モータで駆動される吸引ファンを有する吸引部５９とを備えることで、無端ベルト５７の搬送面に負圧を発生させて被記録媒体Ｍを吸着した状態で搬送するよう構成されている。又、剥離ローラ５０は、複数の大径部５０Ｌと複数の小径部５０Ｓとを軸芯方向に交互に形成して成り、大径部５０Ｌの外周面に前記粘着面５０Ａを形成して成っている。前記爪体５１は剥離ローラ５０の小径部５０Ｓに入り込むよう楔状に成形された複数のものを支持体５１Ａに連結してフォーク状に形成して成り、剥離ローラ５０の粘着面５０Ａに粘着した状態で送られる浸透層１３に接触して強制的に剥離するよう機能する。
【００３０】
又、ベルト搬送部ＥＶにおける搬送速度と、剥離ローラ５０による搬送速度は等しく設定され、この剥離ローラ５０は、前記第１搬送モータＭ１からの駆動力によって第１搬送ローラ２８と同期して駆動される。又、ベルト搬送部ＥＶは、被記録媒体Ｍの基材１１の側を吸着して、この被記録媒体Ｍの浮き上がりを阻止するよう機能し、剥離ローラ５０は、その粘着力で被記録媒体Ｍの浸透層１３の剥離を行うよう機能する。このように剥離したフィルム状の浸透層１３は爪体５１によって剥離された後、圧着ローラ５２の搬送力でガイド５３で案内する状態で送り出され、巻き取り機構としてのリール５４に巻き取られる。尚、図面には示さないが、圧着ローラ５２は第１搬送モータＭ１からの動力で駆動され、リー５４ルはスリップ可能な摩擦伝動機構（図示せず）を介して前記第１搬送モータＭ１からの駆動力で駆動回動する。そして、この駆動回転と、スリップ可能な摩擦伝動機構によるスリップとにより、リール５４は浸透層１３に対して適度の張力を作用させ続けるよう機能する。
【００３１】
前記切断機構Ｇは、図５に示すように、搬送方向で切断位置を挟む位置に配置された圧着形の一対の第２搬送ローラ６０と、この一対の第２搬送ローラ６０を駆動する第２搬送モータＭ２とを備えると共に、切断位置において被記録媒体Ｍの基材１１の側に配置されたプレート６１と、被記録媒体Ｍの搬送方向と直交する方向（幅方向）に沿って一対のガイドロッド６２で移動自在に支持される移動ブロック６３と、この移動ブロック６３に支持された刃体６４と、この移動ブロック６３を往復移動させるようプーリ６５に巻回したタイミングベルト６６と、プーリ６５を駆動する切断モータ６７とを備えて構成されている。前記プレート６１には刃体６４の移動を許す溝を全幅に形成してあり、この切断機構Ｇでは、第２搬送ローラ６０により被記録媒体Ｍの搬送を停止させた状態で、移動ブロック６３を移動させて基材１１を確実に切り離すよう刃体６４の切り込み深さを設定してあり、排出された被記録媒体Ｍは加熱ケース２１の外部に配置されたトレイ４５に受け止められる。
【００３２】
前記ループ形成部Ｌは、第２搬送ローラ５８の駆動を停止させて切断機構Ｇで被記録媒体Ｍを切断する際に剥離機構Ｅの側から送り出される被記録媒体Ｍの基材１１を弛ませ、垂れ下がりを許すよう、下方に開放する空間を備えて構成されている。
【００３３】
図９に示すように、制御機構Ｃは、前記コンピュータ１から転送される画像情報を入力する入力系を形成すると共に、前記第１搬送モータＭ１と、走査モータ３４と、プリントヘッド３１と、第２搬送モータＭ２と、電気ヒータ４１と、ファンモータ４３と、吸引部５９と、切断モータ６７とに対して制御信号を出力する信号系を備え、前記温度センサＳからの温度情報をフィードバックさせる信号系を備えている。
【００３４】
図面には示さないが、この画像形成装置Ｑでは、前記剥離機構Ｅの剥離ローラ５０に代えて、粘着面を備えない遊転ローラと交換できるようにも構成され、例えば、幅が広い被記録媒体Ｍの浸透層１３のように全幅に亘る剥離を良好に行い難いものでは、剥離ローラ５０に代えて遊転ローラをセットした状態で、この遊転ローラの搬送下手位置において被記録媒体Ｍの浸透層１３をオペレータが人為的に剥離し、その先端部分を人為的にリール５４に巻き付けることで、この浸透層１３に対して張力を作用させ続けて剥離を継続させる形態で稼働させることも可能となっている。
【００３５】
このように構成したことから、この画像形成装置Ｑで被記録媒体Ｍに対して画像情報の転写を行う場合には、画像処理装置Ｐからプリントすべき画像情報を該画像形成装置Ｑに転送することにより、制御機構Ｃは、搬送機構Ａを制御して被記録媒体Ｍの搬送を行い、プリント機構Ｂのプリントヘッド３１を制御してインクカートリッジ３６内の昇華性インクを被記録媒体Ｍに吹き付けて浸透層１３に画像情報をプリントするプリント処理を実行する。この処理を継続させることで画像情報がプリントされた被記録媒体Ｍが搬送機構Ａの搬送力によって加熱機構Ｄに送り込まれる。この加熱機構Ｄでは、受け入れた被記録媒体Ｍの搬送を行いながら加熱空間Ｒにおいて被記録媒体Ｍに対して加熱系の部材を接触させること無く、非接触状態で１８０℃の雰囲気中で２分程度、加熱を継続させて、浸透層１３にプリントされた画像情報を定着層１２に転写する処理を行う。この転写を終えた被記録媒体Ｍは剥離機構Ｅの部位において、浸透層１３の剥離を行った状態でループ形成部Ｆを通過させる形態で切断機構Ｇに送り、切断すべき位置が切断機構Ｄの切断位置に達した時点で、第２搬送ローラ６０の搬送を停止した状態で該切断機構Ｄの刃体６４でプリントサイズに切断して後続の基材１１から切り離して加熱ケース２１から送り出し、トレイ４８に受け止められる。
【００３６】
又、プリント機構Ｂで被記録媒体Ｍに対して画像情報のプリントを行う場合にはプリントヘッド３０が走査する際に被記録媒体Ｍの搬送を停止させ、プリントヘッド３０が走査方向へ作動し終えた直後に被記録媒体Ｍを設定量だけ搬送する形態の処理が繰り返して行われるが、この画像形成装置Ｐでは、例えば、被記録媒体Ｍに余白が形成されるようにプリントヘッド３で画像がプリントされない状況であっても予め設定された速度で被記録媒体Ｍを搬送することにより温度ムラを発生させないよう被記録媒体Ｍの搬送形態を設定している。
【００３７】
又、被記録媒体Ｍに対してプリント機構Ｂでプリントを行う際に、画像処理装置Ｇから連続して画像情報が転送された場合には、被記録媒体Ｍに対して搬送方向に隣接する位置関係（必ずしも画像情報が接する必要は無く、多少の隙間を形成する位置関係でも良い）で画像情報のプリントを行うものであるが、このように伝送される画像情報の最後のもののプリントが終了した場合には、そのようにプリントされた部位を切り離すように、プリントヘッド３３に備えて刃体３７を切断位置にセットして、プリントヘッド３０を走査方向に作動させることで、プリントされた部位を切り離すものにしている。
【００３８】
このように本発明では、プリント機構Ｂで画像情報をプリントした被記録媒体Ｍを加熱空間Ｒにおいて昇華性インクが適正に昇華する温度に維持して画像情報の転写を行った後に、剥離機構Ｅで浸透層１３をフィルム状のまま自動的に剥離して送り出すので、この浸透膜１３の剥離を人為的に行う必要が無いものとなっている。特に、剥離を行う際には、被記録媒体Ｍの基材１１の側をベルト搬送部ＥＶで浮き上がりを防止した状態で、剥離ローラ５０から粘着力を作用させて剥離を行うので、確実な剥離を行えるものにしており、このように剥離ローラ５０に粘着した状態で剥離した浸透層１３を爪体５１で分離して送り出し、このように送り出した浸透層１３をリール５４に巻き取ることで、フィルム状の浸透層１３の取り扱いを良好にすると同時に、この浸透膜１３に対してリール５４から張力を作用させるので、被記録媒体Ｍの先端部位で浸透層１３を剥離した後には、後続する被記録媒体Ｍから浸透膜１３を継続して容易に剥離させ続け得るものになっている。
【００３９】
〔別実施の形態〕
本発明は上記実施の形態以外に、例えば、以下のように構成して実施することも可能である（前記実施の形態と同じ機能を有するものには前記実施の形態と共通する番号、符号を付している）。
【００４０】
図１０に示すように、剥離機構Ｅとして、被記録媒体Ｍの基材の側にゴム製の主ローラ７０を配置し、浸透層１３の側にゴム製の剥離ローラ７１を配置し、この剥離ローラ７１で剥離した浸透膜１３を送り出す圧着型の案内ローラ７２と、この案内ローラ７２に送られる浸透層１３に張力を作用させる巻き取り機構としてのリール７３とを備えている。
【００４１】
この剥離機構Ｅでは、主ローラ７０の側を被記録媒体Ｍの搬送速度と等しい速度で駆動する搬送駆動部７４を備えると共に、剥離ローラ７１の駆動速度を調節する剥離駆動部７５を備えることにより、この剥離ローラ７１の周速度を主ローラ７０の周速度より低速に設定する剥離駆動状態と、主ローラ７０の周速度と等しい搬送駆動状態とに切り換え自在に構成してある。そして、浸透層１３の剥離を行う際には、被記録媒体Ｍの搬送下手側の端部位置の部位において剥離ローラ７１を剥離駆動状態で駆動することにより、この速度差によって基材１１の搬送方向に沿う方向に向けて浸透層１３に外力を作用させて剥離を行い、このように剥離を行った浸透層１３をガイド５３と案内ローラ７２とリール７３とで成る剥離搬送部で基材１１から角度を持って分離する方向に送り、剥離ローラ７１を搬送駆動状態で駆動し、この送り出しの後にはリール７３から浸透層１３に作用する張力によって被記録媒体Ｍの基材１１から浸透層１３を剥離する状態を継続させることで、浸透層１３の剥離を継続的に行えるものにしている。
【００４２】
この別実施の形態のように、被記録媒体Ｍの基材の側と浸透層１３との側にローラを配置して、夫々の速度差によって浸透層１３の剥離を行うものでは、少なくとも一方が被記録媒体Ｍの搬送速度と異なる速度で駆動されることで剥離が可能となり、例えば、剥離を行う際において前記剥離ローラ７１を逆転させるよう駆動形態を設定することも可能である。又、剥離が行われた後には、この剥離ローラ７１を浸透層１３の側から離間させるよう構成することも可能であり、剥離した浸透膜１３を送る場合にも前記実施の形態と同様に粘着面を有した剥離ローラや、粘着ベルト等を用いて剥離した浸透膜１３を基材から離間する側に案内するよう送り出し系を構成することも可能である。
【００４３】
又、本発明は、ロール状の被記録媒体Ｍだけを対象にするものでは無く、プリントサイズに予め切断された被記録媒体Ｍを対象とすることも可能である。
【図面の簡単な説明】
【図１】画像転写システムの斜視図
【図２】画像形成装置の縦断側面図
【図３】プリント機構の構造を示す斜視図
【図４】プリントヘッドに備えた刃体を示す平面図
【図５】切断機構の構造を示す斜視図
【図６】被記録媒体の断面図
【図７】剥離機構の構造を示す斜視図
【図８】剥離機構の縦断側面図
【図９】制御系のブロック回路図
【図１０】剥離機構の別実施の形態を示す断面図
【符号の説明】
１１            基材
１２            定着層
１３            浸透層
５０            ローラ
５０Ａ          粘着面
５１            爪体
５４、７３      巻き取り機構
７０、７１      ローラ
Ａ              搬送機構
Ｂ              プリント機構
Ｄ              加熱機構
Ｅ              剥離機構
Ｍ              被記録媒体
【図１】
0003791679.tif 000002
【図２】
0003791679.tif 000003
【図３】
0003791679.tif 000004
【図４】
0003791679.tif 000005
【図５】
0003791679.tif 000006
【図６】
0003791679.tif 000007
【図７】
0003791679.tif 000008
【図８】
0003791679.tif 000009
【図９】
0003791679.tif 000010
【図１０】
0003791679.tif 000011